(57)【要約】      （修正有）【課題】手動、腕力回し起電装置を手動、腕力で回転することでモーターと発電機で無燃料で発電を続けられる起電装置付発電機を提供する。【解決手段】機台の軸受の回転軸２４に手動、腕力回しハンドル、プーリー１１等、モーター回し機器１のボルトに緩く入れたモーター回し機具３を設けてプーリーにＶベルト１０等を掛け渡す。モーター回転軸にモーター回し外す機具、はずみ車、プーリー、丸鉄板を取り付ける。モーターとプーリー付発電機を機台に設置してＶベルトで掛け渡す。モータースイッチ、コンセントを設けて配線する。手動、腕力回し起電装置の手動、腕力回しハンドルを回転することでＶベルトで掛け渡されたモーターと発電機で無燃料で発電が続くことにより公害、大気汚染がなく人に迷惑をかけないで用途が広く屋内でも使用できる。【選択図】図１
0003169730.tif 000002
【実用新案登録請求の範囲】
【請求項１】
機台の軸受の回転軸に手動、腕力回しハンドル、プーリー、モーター回し機器のボルトに緩く入れたモーター回し機具を設けてプーリーをＶベルトで掛け渡す。モーター回転軸にモーター回し外す機具、はずみ車、プーリー、丸鉄板を取り付ける。モーターとプーリー付発電機を機台に設置してＶベルトで掛け渡す。モータースイッチ、コンセントを設けて配線する。手動、腕力回し起電装置を手動、腕力で回転することでＶベルトで掛け渡されたモーターと発電機で発電続く手動、腕力回し起電装置付発電機
【考案の詳細な説明】
【技術分野】
【０００１】  本考案は、電気を要する所で無燃料で発電続けることができる公害のない発電機に関するものである。
【背景技術】
【０００２】  従来の小型発電機は燃料を使用している。公害を発生するので人の多い所、静かな住宅地、屋内では余り使用されていない。
【考案の概要】
【考案が解決しようとする課題】
【０００３】  燃料を使用する発電機は公害を発生している。回りの人、使用者に迷惑を掛けている。大気汚染、燃料費の嵩みがあり屋内、静かな住宅地では余り使用されていない。従って手動、腕力回し起電装置を手動、腕力で回転することでＶベルトで掛け渡されたモーターと発電機で無燃料で発電続くので公害、大気汚染がなく回りの人、使用者に迷惑を掛けないで屋内でも使用できることが可能になり前途の欠点を解決しようとするものである。
【課題を解決するための手段】
【０００４】  本考案は、機台の軸受の回転軸に手動、腕力回しハンドル、プーリー、モーター回し機器のボトルに緩く入れたモーター回し機具を設けてプーリーをＶベルトで掛け渡す。モーター回転軸にモーター回し外す機具、はずみ車、プーリー、丸鉄版をボルトで取り付ける。モーターとプーリー付発電機を機台に設置してＶベルトで掛け渡してモータースイッチ、コンセントを設けて配線する。手動、腕力回し起電装置の手動、腕力回しハンドルを手動、腕力で回転することで無燃料で発電続くことにより問題点を解決している。
【考案の効果】
【０００５】  上述の様に、本考案の手動、腕力回し起電装置付発電機は手動、腕力回し起電装置の手動、腕力回しハンドルを手動、腕力で回転することでＶベルトで掛け渡されたモーターとプーリー付発電機で無燃料で発電できることにより公害、大気汚染がなく人の多い所、静かな住宅地、屋内で用途が広く使用できる。
【考案を実施するための最良の形態】
【０００６】  機台の軸受に回転軸を取り付ける。手動、腕力回しハンドル、プーリー、モーター回し機器のボトルに緩く入れたモーター回し機具を設けて回転軸に取り付けてプーリーをＶベルトで掛け渡す。モーター回し機具はモーター回し外す機具と手で合わせてモーターを回転させるモーター回し機具。モーター回転軸にモーター回し外す機具、はずみ車、プーリー、丸鉄版をボルトで取り付ける。モーター回し外す機具はモーター回し外す機具と合わせられて回転しているモーター回し機具を外すモーター回し外す機具。モーターとプーリー付発電機を機台に設置してＶベルトで掛け渡す。モータースイッチ、コンセントを設けて配線する。
【実施例】
【０００７】  以下、添付図面に従って一実施例を説明する。モーター回し機器１のボルト２に緩く入れたモーター回し機具３とモーター回し外す機具４を手で合わせて手動、腕力回しハンドル５、プーリー６を５秒で８回転回るように回転する。Ｖベルト７で掛け渡されたプーリー８、９は５秒で２０回転回される。Ｖベルト１０で掛け渡されたプーリー１１、モーター回し機器１、モーター回し機具３は５秒で５０回転回される。モーター回し器具１と合わせられて回転しているモーター回し外す機具４、はずみ車１３、プーリー１４、丸鉄板１５、モーター１６も５０回転回される。プーリー１４とＶベルト１７で掛け渡されたプーリー１８付発電機１９は５秒で１２５回転回されて起電する。モーター１６は起電電気とはずみ車１３の勢いで回転続くのでＶベルト１７で掛け渡されたプーリー１８付発電機１９は回され続くので１分間１５００ＲＰｍを得て１０Ａ、１００Ｖ、３ＫＷの電気を発電続ける。発電続く電気はモーター１６稼動に使用する。一般電気機器はコンセント２０より使用する。電気の使用をやめる時はモータースイッチ２１を切る。【０００８】  起電電気で回るモーター１６は手動、腕力回しハンドル５で手動、腕力回し起電装置を回転することよりモーター１６の回転が早くなるのでモーター回し外す機具４がモーター回し機具３を外すので手動、腕力で回転している手動、腕力回しハンドル５が空回りになるので回転することをやめる。【０００９】  本考案の一実施例は上述の如き構成なるものであるから手動、腕力回し起電装置の手動腕力回しハンドル５を回転することでモーター回し機器１、手で合わせてあるモーター回し機具３、モーター回し外す機具４が回される。モーター１６も回される。モーター１６とＶベルト１７で掛け渡されたプーリー１８付発電機１９も回されて起電する。起電電気とはずみ車１３の勢いでモーター１６は回り続ける。Ｖベルト１７で掛け渡された発電機１９は回され続くので発電続ける。
【図面の簡単な説明】
【００１０】
【図１】  本考案の実施の形態を示す手動、腕力回し起電装置付発電機の上面図
【図２】  同手動、腕力回し起電装置付発電機の正面図
【図３】  同手動、腕力回し起電装置付発電機の側面図
【図４】  同モーター回し機器、モーター回し機具、モーター回し外す機具の正面図
【図５】  同モーター回し機器、モーター回し機具、モーター回し外す機具の上面図
【図６】  同手動、腕力回しハンドルの正面図
【図７】  同モーター回転軸にボルトでモーター回し外す機具  はずみ車  プーリー、丸鉄板を取り付けた正面図
【図８】  同モーター回し機器、モーター回し機具、モーター回し外す機具の作動時の上面図
【図９】  同軸受けの正面図
【図１０】  同モーター  はずみ車  モーター回し外す機具の作動時の側面図
【符号の説明】
【００１１】１    モーター回し機器
２    ボルト
３    モーター回し機具
４    モーター回し外す機具
５    手動、腕力回しハンドル
６、８、９、１１、１４、１８  プーリー
７、１０、１７  Ｖベルト
１２  モーター回転軸
１３  はずみ車
１５  丸鉄板
１６  モーター
１９  発電機
２０  コンセント
２１  モータースイッチ
【図１】
0003169730.tif 000003
【図２】
0003169730.tif 000004
【図３】
0003169730.tif 000005
【図４】
0003169730.tif 000006
【図５】
0003169730.tif 000007
【図６】
0003169730.tif 000008
【図７】
0003169730.tif 000009
【図８】
0003169730.tif 000010
【図９】
0003169730.tif 000011
【図１０】
0003169730.tif 000012
【手続補正書】
【提出日】平成22年9月13日(2010.9.13)
【手続補正１】
【補正対象書類名】実用新案登録請求の範囲
【補正対象項目名】全文
【補正方法】変更
【補正の内容】
【実用新案登録請求の範囲】
【請求項１】
手動、腕力回し起電装置で発電続く発電機で手動、腕力回しハンドルを回転することで回転数を増大させるのにＶプーリーを回転軸の各所にＶベルトを掛け渡して取り付ける。回転軸に取り付けたモーター回し機器のボルトにモーター回し機貝を手、指で回り動くように緩く入れる。回り止め、外れ止めを加工したモーター回し外す機貝、はずみ車、丸鉄板の各機貝に軸穴、ボルト穴をあけて回り止め、外れ止めを加工したモーター回転軸にＶプーリーを入れて通しボルトで取り付ける。手動、腕力回し起電装置の手動、腕力回しハンドルを回転すると手、指で合わされたモーター回し機貝とモーター回転軸に取り付けたモーター回し外す機貝でモーターが回される。モーターと発電機は交流４極を使用する。モーターとＶベルトで掛け渡されたプーリ付発電機は回転数を増して５秒で１２５回転回されて起電する。発電機と配線してあるモーターは起電電気とはずみ車の勢いで回される。手動、腕力回しハンドルで手動、腕力回し起電装置を回転するよりも起電電気とはずみ車の勢いで回されるモーターの回転数が早くなるのでモーター回し外す機貝がモーター回し機貝を外すので手動、腕力回しハンドルが空回りになるので回転することをやめる。モーターとＶベルトで掛け渡された発電機は回され続くので発電する。発電機は１分間５０Ｈｚ、１０Ａ、１００Ｖ、２．４ＫＷの電気を発電続ける。発電続く電気とはずみ車の勢いでモーターは回され続くのでＶベルトで掛け渡された発電機はモーターに回され続くので発電続ける。モーターは発電続く電気で回り続ける。発電機はモーターに回され続くので発電続ける。発電続く電気の一部はモーターに使用する。大部分の電気はコンセントより一般電気機器に使用する。モータースイッチ、コンセントは防水囲いの外に配線して取り付ける。電気の使用をやめる時はモータースイッチを切る。前記手動、腕力回し起電装置でモーターとＶベルトで掛け渡された発電機で交流電気を発電続ける構造とした事を特とする手動、腕力回し起電装置付発電機
【手続補正書】
【提出日】平成23年1月25日(2011.1.25)
【手続補正１】
【補正対象書類名】実用新案登録請求の範囲
【補正対象項目名】全文
【補正方法】変更
【補正の内容】
【実用新案登録請求の範囲】
【請求項１】
手動、腕力回しハンドル、プーリー、モーター回し機具をボルトに緩く入れたモーター回し機器を回転軸の各所に取り付けてプーリーをＶベルトで掛け渡してモーター回転軸にモーター回し外す機具、はずみ車、プーリー、丸鉄板を取り付けてモーターとプーリー付発電機をＶベルトで掛け渡してモータースイッチ、コンセントを設けて配線したことで発電続くことを特徴とする手動腕力回し起電装置付発電機
【手続補正書】
【提出日】平成23年5月6日(2011.5.6)
【手続補正１】
【補正対象書類名】実用新案登録請求の範囲
【補正対象項目名】全文
【補正方法】変更
【補正の内容】
【実用新案登録請求の範囲】
【請求項１】
手動、腕力回しハンドル、プーリー、モーター回し機具をボルトに緩く入れたモーター回し機器を回転軸の各所に取り付けてあるＶプーリーをＶベルトで掛け渡してモーター回転軸にモーター回し外す機具、はずみ車、Ｖプーリー、丸鉄板を取り付けた起電装置とＶプーリー付発電機をＶベルトで掛け渡してモータースイツチ、コンセントを設けて配線したことで発電続くことを特徴とする手動、腕力回し起電装置付発電機
【手続補正２】
【補正対象書類名】図面
【補正対象項目名】全図
【補正方法】変更
【補正の内容】
【図１】
0003169730.tif 000013
【図２】
0003169730.tif 000014
【図３】
0003169730.tif 000015
【図４】
0003169730.tif 000016
【図５】
0003169730.tif 000017
【図６】
0003169730.tif 000018
【図７】
0003169730.tif 000019
【手続補正３】
【補正対象書類名】明細書
【補正対象項目名】００１０
【補正方法】変更
【補正の内容】
【００１０】
【図１】モーター回し機器と回転軸の取り付け
【図２】手動、腕力回しハンドルと回転軸の取り付け
【図３】モーター回し外す器具、はずみ車、Ｖプーリー、丸鉄板とモーター回転軸の取り付け
【図４】モーター回し外す器具、はずみ車、Ｖプーリー、丸鉄板とモーター回転軸の取り付け
【図５】モーター回し外す器具、はずみ車、Ｖプーリー、丸鉄板とモーター回転軸の取り付け
【図６】Ｖプーリーと回転軸の取り付け
【図７】Ｖプーリーと回転軸の取り付け
【手続補正４】
【補正対象書類名】明細書
【補正対象項目名】００１１
【補正方法】変更
【補正の内容】
【００１１】
【符号の設明】
１    モーター回し機器
２、２３、２５    ボルト
３    モーター回し器具
４    モーター回し外す器具
６、８、９、１１、１４、１８    Ｖプーリー
７、１０、１７、    Ｖベルト
１２、  モーター回転軸
１３    はずみ車
１５    丸鉄板
１６    モーター
１９    発電機
２０    コンセント
２１    モータースイッチ
２２    帯鉄
２４    回転軸
２６    ピン
２７    ピン穴
２８    ピン穴研削Ｖプーリー
２９    ピン穴研削